(57)【要約】【課題】入れ歯の新規製作及び修理等の治療を必要とする患者と医療従事者、例えば歯科医師との間で、意思疎通を向上させることで的確に医療行為が行われるための、入れ歯治療記録用ノートを提供する。【解決手段】  本発明は、患者が入れ歯治療の際に生じるその時々の要望及び症状を、この入れ歯治療記録用ノートに事前に記入し診療日に持参するものである。入れ歯ボードの飛び出す入れ歯の立体模型及び入れ歯治療記録の入れ歯の図は、言葉ではなかなか表現することができない入れ歯の複雑な部位を、容易に指摘し記入することができる。歯科医師は、この入れ歯ボードを含む入れ歯治療記録ノートに記載された口腔内の情報を熟読することで患者との問診時間が短縮され、双方が求める治療行為と治療時間を得ることができる。【選択図】図２
2010194994.tif 000002
【特許請求の範囲】
【請求項１】
入れ歯治療を受ける患者と医療従事者、例えば歯科医師との意思疎通を、より確実にするための歯科医師と患者の間で治療の度に交換する入れ歯治療記録用ノートであって、入れ歯治療記録を備え、入れ歯の上側と下側のいずれか一方、または双方の飛び出す入れ歯の模型が設けられ、閉じた時は平面であり、開いた時は立体になる見開き式の入れ歯ボードを備えたことを特徴とする入れ歯治療記録用ノート。
【請求項２】
入れ歯治療記録には患者のページと歯科医師のページが見開きで一診療分として設けられており、患者のページと歯科医師のページの少なくとも一方には、入れ歯の上側と下側のいずれか一方、または双方の図が載せてあることを特徴とする請求項１に記載の入れ歯治療記録用ノート。
【請求項３】
入れ歯ボードの飛び出す入れ歯の模型及び、模型以外の土台となっている台紙部分は、ホワイトボード用のマーカーを使って図や文字を書いた場合、拭き取り消去ができる特殊コーティング素材であることを特徴とする請求項１または請求項２に記載の入れ歯治療記録用ノート。
【請求項４】
入れ歯治療記録に記載の入れ歯の図は、薄い色の線や、点線、破線、極細線のいずれかにすることで、このノートに記載の総入れ歯の形状を案内図とし、その上から個々の患者の入れ歯の形を書き込めることを特徴とする、請求項１ないし請求項３のいずれかに記載の入れ歯治療記録用ノート。
【請求項５】
前記患者のページには、少なくとも気になった点、食事の内容、体調、服用した薬のいずれかを記入する欄が設けられており、前記歯科医師のページには少なくとも担当医からの説明事項、次回の診療予約日、持参物として健康保険証、その他公的医療証明書、過去に使用していた入れ歯、老眼鏡、眼鏡、現在服用中のお薬およびお薬の説明書、通院中の他医療機関情報のいずれかを含むことを特徴とする請求項１ないし請求項４のいずれかに記載の入れ歯治療記録用ノート。
【請求項６】
入れ歯治療記録用ノートを加除自在なリングバインダー式としたことを特徴とする請求項１ないし請求項５のいずれかに記載の入れ歯治療記録用ノート。
【請求項７】
入れ歯ボードの背になる綴じられる側にリング穴を別途取り付けてあることを特徴とする請求項６に記載の入れ歯治療記録用ノート。
【請求項８】
リングバインダーは透明な素材で出来ていることを特徴とする請求項１ないし請求項７に記載の入れ歯治療記録用ノート。
【発明の詳細な説明】
【技術分野】
【０００１】
本発明は、入れ歯の新規製作及び修理を必要とする患者と医療従事者、例えば歯科医師との間で行われる、交換形式の入れ歯治療記録用ノートである。
【背景技術】
【０００２】
歯科医院における診療時間の中で患者の問診時間は限られている。その限られた時間内で、患者が入れ歯の不具合を簡潔かつ明確に説明することは困難を要している。この状況下において歯科医師が患者の要望及び症状を十分に理解することはできていない。
【０００３】
この理解不足により、治療行為は不十分な内容となる傾向にあり、結果患者は満足のいく治療を得ることができず、なおかつ必要以上の来院をせざるをえない現状にある。
【先行技術文献】
【特許文献】
【０００４】
【特許文献１】実開昭５７−８１１７８号公報
【特許文献２】実開平２−１２６８７３号公報
【特許文献３】実開平７−２７６９９号公報
【特許文献４】特開２０００−１６８２７２号公報
【特許文献５】特開２００３−２５７６８号公報
【特許文献６】特開２００４−１２７５号公報
【特許文献７】特開２００７−３０１９６１号公報
【発明の概要】
【発明が解決しようとする課題】
【０００５】
本発明は以上のようなことを鑑み、患者は従来のように歯科医院内にて口頭で歯科医師に説明するのではなく、入れ歯治療記録用ノートの入れ歯ボードにある立体模型や入れ歯治療記録の患者さんのページに事前に要望及び症状を記入することで、歯科医師に簡潔かつ明確に伝えられる入れ歯治療記録用ノートを提供することを目的としている。
【０００６】
限られた時間内で患者と歯科医師がそれぞれの思いを伝え合い、理解し納得して行われる医療行為が望ましい。それには、歯科の知識に乏しい患者でも、複雑な口腔内の入れ歯の部位を容易に指し示す手段として、入れ歯の立体模型や入れ歯の図を活用することで患者と歯科医師のコミュニケーション不足を解決し充実した医療を提供するものである。
【０００７】
特許文献１の歯科の医療管理用指導カルテは、歯科医師が記録するものであって患者が歯科医師に要望及び症状を伝えるものではない。
【０００８】
特許文献２の赤ちゃん専用バインダー式手帳は、意思疎通のとれない赤ちゃんの成長記録や健康状態などを、その家族が記録するために使用するものであって、治療を目的に使用するものではない。
【０００９】
特許文献３のポップアップ絵本は、幼児が楽しみながら遊ぶための立体絵柄の絵本という情操教育のために使うものであって、医療を目的に使用するものではない。
【００１０】
特許文献４の在宅介護連絡ノートは看護・介護人とその家族間の連絡事項を記入し伝えるものであって、介護人と要介護人の間で行われるコミュニケーション型のものではない。
【００１１】
特許文献５の入院記録・看病ノートは病人が病院への入院から退院までの種々状況を綴り記録しておくためのノートである。内容は多岐にわたっており、病気に関する内容以外に、お見舞いの記録、友人知人の連絡先、入院生活に必要なもののチェックリスト等とても幅の広い内容に関して、患者やその家族が記録するものであって、病気を治療するための一手段として医者と患者との間で行われる交換形式の治療記録ノートではない。
【００１２】
特許文献６の歯の手帳は歯の健康、検診、治療などの自己管理と、医師による治療計画書、治療記録等を備えたものである。これは記録として残すことで今後の治療に生かすことができ、他医院に転院してもその履歴が役に立つということであるが、あくまでも歯科医師を含む医療従事者が記入し、患者に指導するためのものであって、入れ歯治療のために患者と歯科医師との間で交換形式に行われる治療記録手帳ではない。
さらに、歯の病気を絵や図面や写真などを用いて理解させる指導書は二次元の平面にすぎず、入れ歯治療に必要とされる口腔内の複雑な入れ歯の部位を指し示す三次元の立体模型は備えられていない。ゆえに入れ歯治療の対応に欠けるものである。
【００１３】
特許文献７は歯科診療における患者への情報提供を確実に実行できる下敷きと手帳であり、歯科医師がカルテに記載する治療内容を患者に対して分かりやすい書き方で記載し、毎回患者に渡すというものである。これは行政が将来的にカルテ開示を目的とすることを受けて、その定着を目指すものであり、患者と歯科医師が交換形式で記入しあい双方が理解しながら入れ歯治療を進めていくものではない。
【課題を解決するための手段】
【００１４】
入れ歯治療を受ける患者と医療従事者、例えば歯科医師との意思疎通を、より確実にするための歯科医師と患者との間で治療の度に交換する入れ歯治療記録用ノートであって、入れ歯治療記録を備え、入れ歯の上側と下側のいずれか一方、または双方の飛び出す入れ歯の模型が設けられ、閉じた時は平面であり、開いた時は立体になる見開き式の入れ歯ボードを備えたことを特徴としたものである。
【００１５】
入れ歯治療記録には患者のページと歯科医師のページが見開きで一診療分として設けられており、患者のページと歯科医師のページの少なくとも一方には、入れ歯の上側と下側のいずれか一方、または双方の図が載せてあることを特徴としたものである。
【００１６】
入れ歯ボードの飛び出す入れ歯の模型及び、模型以外の土台となっている台紙部分は、ホワイトボード用のマーカーを使って図や文字を書いた場合、拭き取り消去ができる特殊コーティング素材であることを特徴としたものである。
【００１７】
入れ歯治療記録に記載の入れ歯の図は、薄い色の線や、点線、破線、極細線のいずれかにすることで、このノートに記載の総入れ歯の形状を案内図とし、その上から個々の患者の入れ歯の形を書き込めることを特徴としたものである。
ここでいう薄い色とは、１９５８年日本工業規格（JIS）採用のマンセルカラーシステム（Munsell  Color  System）でいう、２００８年４月・日本色彩株式会社発行、日本工業規格（JIS）準拠TRAINING  COLOR  １３０色  トーン分類表の、ＴＯＮＥ色調・無彩色調とＨｕｅの色相が  ｌｉｇｈｔ（ｌｔ）、ｐａｌｅ（ｐｌ）、ｓｏｆｔ（ｓｆ）、ｖｅｒｙ  ｐａｌｅ（ｖｐ）、ｌｉｇｈｔ  ｇｒａｙｉｓｈ（ｌｇ）であるものをさす。
【００１８】
前記患者のページには、少なくとも気になった点、食事の内容、体調、服用した薬のいずれかを記入する欄が設けられており、前記歯科医師のページには少なくとも担当医からの説明事項、次回の診療予約日、持参物として健康保険証、その他公的医療証明書、過去に使用していた入れ歯、老眼鏡、眼鏡、現在服用中のお薬およびお薬の説明書、通院中の他医療機関情報のいずれかを含むことを特徴としたものである。
【００１９】
入れ歯治療にかかる通院回数は患者によって様々であるため、入れ歯治療記録用ノートを加除自在なリングバインダー式としたことを特徴としたものである。
【００２０】
入れ歯治療記録用ノートを加除自在なリングバインダー式にする場合、入れ歯ボードには別途リング穴を取り付ける必要がある。入れ歯ボードに直接リング穴を開けてしまうと入れ歯の立体模型にまでリング穴が開いてしまい、完全に開くことができず立体に支障が生じる。そのため入れ歯ボードの背になる綴じられる側にリングバインダー用リング穴を別途取り付けた構成を特徴としたものである。
【００２１】
さらにリングバインダー式とした場合リングバインダーは透明な材料で出来ているものが望ましい。これは入れ歯ボード及び入れ歯治療記録にはそれぞれ表紙があり患者の氏名、医療機関名等が記載できるようになっているため表紙が透けて見えることでバインダー本体に氏名や医療機関名を書く必要がなくなるからである。
【００２２】
入れ歯に関する治療には、大きく分けると
（１）新規製作した場合の製作後の調整治療
（２）すでに使用中の入れ歯が何らかの原因で不具合になった場合の再調整治療
（３）何らかの事情で顎位に変位をきたしたため、正しい顎位を回復させる治療用義歯を使っての顎位治療
がある。これらの治療のための通院回数は患者によって大きく差があるが、患者が違和感なく日常生活を行えるようになるまでに、概ね１〜５０回位の治療を必要とする。
上記述べた解決手段によって、患者が治療後自宅に戻り食生活を含む生活全般をしてみて、治療部位の他、さらに別の部位に痛みを感じたり、違和感を感じた時、その都度状況を入れ歯治療記録用ノートに記入し、次回の診療日にこのノートを持参することで、歯科医師にその時々の要望及び症状を短時間で的確に伝えることができる。
【００２３】
入れ歯治療記録は、歯科医師が見開きの左側にある患者記入ページの内容に応える形で、右側の歯科医師記入ページに治療内容や注意事項を記入し、これを一診療とすることで回を重ねても振り返りやすく見やすいノートになっている。このような交換形式を繰り返し行うことで、診療経過の記録保存、歯科医師と患者の意思疎通の向上、及び理解不足の解消に役立つ。
【００２４】
本発明は、患者自身が診療日時以外の日常生活の中で、入れ歯に関する不具合や、食事の内容、体調の変化など、入れ歯治療に必要な事柄を詳細に記録し、これを診療日時に持参することで、歯科医師に口頭で説明することが少なくなり、時間の短縮を得ることができる。歯科医師側は、患者が入れ歯治療記録用ノートに記載した入れ歯及び口腔内の情報を熟読し、確認したうえで、患者が何を要求しているのかを迅速かつ的確に理解することができる。このノートを介すことで歯科医師と患者の双方が求める医療行為と医療行為時間を確保することができる。
【００２５】
患者が入れ歯の不具合な部分を表現する際、それを言葉で的確に伝えることは困難であるが、入れ歯ボードの飛び出す入れ歯の立体模型や、入れ歯治療記録に記載の入れ歯の図に、患者自らが不具合の部分をマーキングすることで、伝えたい部位をより的確に表現することができる。
【００２６】
飛び出す入れ歯の模型には、歯科医師が、総入れ歯及び部分入れ歯の患者のどちらにも対応できるよう、個々の入れ歯の形を消えにくい油性ペンで書き込むことができる素材である。
【００２７】
さらに飛び出す入れ歯の模型及び土台となっている台紙部分は、ホワイトボード用のマーカーで書いた場合拭き取り消去ができ、何度でも繰り返し図や文字を書き込むことができる。これにより不具合の箇所が日によって違う場合でも記入し直すことができるため、その箇所を確認・指示する手段として有効活用できる。    
【発明の効果】
【００２８】
本発明の入れ歯治療記録用ノートは、入れ歯ボードの上下の飛び出す入れ歯の立体模型、及び入れ歯治療記録の患者のページと歯科医師のページには上下の入れ歯の図が記載されており、口頭ではなかなか説明できない入れ歯の複雑な部位を、容易に説明できる記入しやすいノートになっているため、患者が歯科医師に対して主訴を伝える時間をより短縮することができる。
【００２９】
特に飛び出す入れ歯の立体模型は、患者自らが入れ歯の不具合の箇所をマーキングすることで、主訴をより的確に表現することができる。また、拭き取り消去が可能な特殊コーティング素材のため何度でも記入することができる。
【００３０】
入れ歯治療記録は患者のページと歯科医師のページの両方を設けているため、事前に患者はその時々の要望及び症状を記入し、これを受けて歯科医師はその日の治療内容を記載することができ、長期治療を要する記録日誌として大変有効である。
【００３１】
入れ歯の治療は、他の歯科治療に比べてかなり長い期間を要する治療である。この入れ歯治療で通院する患者の多くは高齢者であるためコミュニケーションが取りづらい傾向があるが、痛みの箇所を指摘する際、口頭より図や文字にすることでその欠点を補うことができる。
【図面の簡単な説明】
【００３２】
【図１】本発明の実施形態を示す入れ歯治療記録用ノートの入れ歯ボードの表紙正面図の一例を示す。
【図２】同ノートの入れ歯ボードを開き、入れ歯の模型が立体に飛び出した状態を示す説明図である。
【図３】同ノートをリングバインダー式にする場合、リング穴を別途取り付けてある入れ歯ボードを示す説明図である。
【図４】同ノートの入れ歯治療記録の表紙正面図の一例を示す。
【図５】同ノートの患者個人の記録記入欄を示す説明図である。
【図６】同ノートの患者記入ページを示す説明図である。
【図７】同ノートの歯科医師記入ページを示す説明図である。
【発明を実施するための形態】
【００３３】
以下、本発明の実施の形態を図１〜図６に基づいて説明する。
【００３４】
図１は、入れ歯治療記録用ノートの入れ歯ボード表紙の正面図である。この表紙には患者の氏名、通院している医療機関名の記載欄が設けられている。医療機関名の記載欄は、ほとんどの医療機関で所有しているゴム印を押すということを考慮し、枠のみの欄とした。
【００３５】
図２は入れ歯ボードを開き、入れ歯の模型１が立体に飛び出した状態の説明図である。閉じた時は平面になり、開いた時には立体になる仕掛けになっていて、入れ歯の平面図のみでは指摘できない部分を、立体化することで指摘部位を細部にわたり表現することができる。これは歯科医師が総入れ歯、部分入れ歯のどちらの患者にも対応できるよう、個々の入れ歯の形を消えにくい油性ペンで書き込むことができる。
【００３６】
図２の入れ歯ボードの飛び出す入れ歯の立体模型１は、上顎義歯内面部、上顎義歯口蓋部・上顎義歯頬側部・上顎義歯人工歯部及び、下顎義歯内面部、下顎義歯舌側部・下顎義歯頬側部、下顎義歯人工歯部を再現しているため平面図だけでは指摘できない細部まで指示することができる。
【００３７】
図２の入れ歯ボードの飛び出す入れ歯の立体模型１は、書いたあと拭き取り消去ができる特殊コーティング素材で出来ているので、ホワイトボード用のマーカーを使ってマーキングすることにより、不具合な箇所が日々変化してもそれに対応することができる。
【００３８】
図２の入れ歯ボードの飛び出す入れ歯の立体模型１の土台となっている台紙部分は、ホワイトボード用のマーカーで書いた場合拭き取り消去ができる特殊コーティング素材で出来ているので、何度でも繰り返し図や文字を書き込むことができる。
【００３９】
図２の入れ歯ボードの飛び出す入れ歯の立体模型１は患者本人の入れ歯と同じ位の大きさでないと感覚がつかめないため、実物大に近い大きさである。
【００４０】
図２の入れ歯ボードの飛び出す入れ歯の立体模型１は見開きの中央に左右対称に配置することで、閉じた時に完全に平面にたためる構造になっている。
【００４１】
図２の入れ歯ボードの飛び出す入れ歯の立体模型１の土台となっている台紙部分には、診療中の会話の内容や説明事項等を記入できるよう見開きでA３版かB４版が望ましい。特に高齢の患者の場合、図や文字を見やすいように大きく書く必要があるため、ホワイトボードとしての役割を果たす台紙部分の広さは前記記載の大きさが望ましい。
【００４２】
図３は入れ歯治療記録用ノートをリングバインダー式にした場合、入れ歯ボードに別途リング穴２を取り付けた図である。入れ歯ボードに直接リング穴を開けてしまうと入れ歯の立体模型１にまでリング穴が開いてしまい完全に開くことができず立体に支障が生じる。そのため入れ歯ボードの背になる綴じられる側に、リングバインダー用リング穴２を別途取り付ける構成としたものである。
【００４３】
さらにリングバインダー式とした場合リングバインダーは透明な材料で出来ているものが望ましい。これは入れ歯ボード及び入れ歯治療記録にはそれぞれ表紙があり患者の氏名、医療機関名等が記載できるようになっているため表紙が透けて見えることでバインダー本体に氏名や医療機関名を書く必要がなくなるからである。
【００４４】
図４は、入れ歯治療記録用ノートの、入れ歯治療記録の表紙である。ここには、入れ歯治療を開始した年月日、終了した年月日、患者の氏名、通院している医療機関名の記載欄が設けられている。医療機関名の記載欄は、ほとんどの医療機関で所有しているゴム印を押すということを考慮し、枠のみの欄とした。
【００４５】
図５は入れ歯治療記録の表紙の次ページ左側に印刷されている、患者個人の記録欄を示したものである。お身体の記録３、お薬の記録４が設けられている。
お身体の記録３、お薬の記録４は患者によって記録内容及び記入量に個人差があると思われるため、比較的自由に記入が可能なよう、それぞれノート面積の半分のスペースをとっている。
【００４６】
図６は、患者個人の記録欄ページの、次ページから始まる左側のページに印刷された、患者記入ページである。上下の入れ歯の図５、記録日６、気になった点など７、食事の内容・体調・服用した薬など８の記入欄が設けられている。
【００４７】
図６の患者ページ記載の上下の入れ歯の図５と、図７の歯科医師ページ記載の上下の入れ歯の図９は、総入れ歯の患者や部分入れ歯の患者の両方の患者がこのノートを使えるように、自分の入れ歯の形を自由に書き込めるよう対応したものである。その対処法として、患者ページの上下の入れ歯の図５と、歯科医師ページの上下の入れ歯の図９を、薄い色や、点線、破線、極細線のいずれかにすることで、ここに記載の総入れ歯の形状を案内図として、その上から個々の患者の入れ歯の形を書き込めるようになっている。
【００４８】
図６の患者ページ記載の上下の入れ歯の図５と、図７の歯科医師ページ記載の上下の入れ歯の図９は、患者本人の入れ歯と同じ位の大きさでないと感覚がつかめないため、実物大に近い大きさである。
【００４９】
図７は、患者記入ページの右側に印刷された、歯科医師による記入ページである。図６の患者による記入ページと同じく、上下の入れ歯の図９、記録日１０、担当医より１１、次回の診療予約日・持参物など１２の記入欄が設けられている。
【００５０】
担当医より１１は当日行った治療内容、食事の注意点、処方薬の服用の仕方等多岐に渡って記載事項がなされるスペースである。
【００５１】
診察券はどこの歯科医院でも取り扱いはあるが、それとはまた別に次回の診療予約日・持参物など１２の欄に、次回の診療予約日を記載することで、再確認することができ、特に入れ歯治療の多数を占める高齢患者が、歯科医院へ行き忘れるという行為を防止する役割を果たす。さらに、持参物とは、健康保険証、その他公的医療証明書、過去に使用していた入れ歯、老眼鏡、眼鏡、現在服用中のお薬および通院中の他医療機関情報などがあげられる。
【００５２】
但し、上記の記載内容はその一例のものであって、例えば入れ歯ボード図２の飛び出す入れ歯の模型１と、入れ歯治療記録の５と９の入れ歯の図は、総入れ歯および部分入れ歯の両方またはいずれか一方、かつ上側と下側の入れ歯の両方またはいずれか一方であること、あるいは記入欄は単なる横線のみとすることも可能である。
【００５３】
入れ歯治療は長期期間を要するため、その治療記録日誌として活用するには、図６に示す患者のページと図７に示す歯科医師のページを見開きで１診療と数え、１〜５０診療数分位を必要とする。患者によって診療数に違いがあるため記録ページが限られる固定式ノートに限定されず、加除自在に綴じることができるバインダー式ノートにすることで、患者の診療回数分のノートとしてより長期に活用することもできる。
【００５４】
また、図２の入れ歯ボードに記入の際必要となるホワイトボード用マーカーは、常に入れ歯治療記録用ノートに付帯できるようノート側には鉤型のマジック・テープ（登録商標）、マーカー側にはループ状のマジック・テープ（登録商標）を付けることが望ましい。但し、ノック式のホワイトボード用マーカーの場合は挿し込みピンが付いているためマジック・テープ（登録商標）を取り付ける必要はない。
マジック・テープ（登録商標）とは、２枚が１組になった開閉具の一種。ナイロン製のビロード状のテープで１枚は鉤型に、もう１枚はループ状に表面加工されていて、２枚を中表にして押さえると、ループに鉤がからみついてぴったりと接着し、強く引っ張るとはがれる。
【産業上の利用可能性】
【００５５】
本発明は、歯科による入れ歯治療において利用可能である。
【符号の説明】
【００５６】
１  飛び出す入れ歯の立体模型
２  リングバインダー用のリング穴
３  お身体の記録
４  お薬の記録
５  患者のページの上下の入れ歯の図
６  患者のページの記録日
７  気になった点
８  食事の内容・体調・服用した薬
９  歯科医師のページの上下の入れ歯の図
１０  歯科医師のページの記録日
１１  担当医より
１２  次回の診療予約日・持参物
【図１】
2010194994.tif 000003
【図３】
2010194994.tif 000004
【図４】
2010194994.tif 000005
【図５】
2010194994.tif 000006
【図６】
2010194994.tif 000007
【図７】
2010194994.tif 000008
【図２】
2010194994.tif 000009
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
入れ歯治療を受ける患者と医療従事者との意思疎通をより確実にするための、医療従事者と患者の間で治療の度に交換する入れ歯治療記録用ノートであって、入れ歯治療記録を備え、入れ歯の上側と下側のいずれか一方、または双方の飛び出す入れ歯の模型が設けられ、閉じた時は平面であり、開いた時は立体になる見開き式の入れ歯ボードを備えたことを特徴とする入れ歯治療記録用ノート。    
【請求項２】
入れ歯治療記録には患者のページと医療従事者のページが見開きで一診療分として設けられており、患者のページと医療従事者のページの少なくとも一方には、入れ歯の上側と下側のいずれか一方、または双方の図が載せてあることを特徴とする請求項１に記載の入れ歯治療記録用ノート。    
【請求項３】
入れ歯ボードの飛び出す入れ歯の模型及び、模型以外の土台となっている台紙部分は、ホワイトボード用のマーカーを使って図や文字を書いた場合、拭き取り消去ができる特殊コーティング素材であることを特徴とする請求項１に記載の入れ歯治療記録用ノート。    
【請求項４】
入れ歯治療記録に記載の入れ歯の上側と下側のいずれか一方、または双方の図は、薄い色の線や、点線、破線、極細線のいずれかにすることで、このノートに記載の総入れ歯の形状を案内図とし、その上から個々の患者の入れ歯の形を書き込めることを特徴とする請求項２に記載の入れ歯治療記録用ノート。    
【請求項５】
入れ歯治療記録の患者のページには、少なくとも気になった点、食事の内容、体調、服用した薬のいずれかを記入する欄が設けられており、入れ歯治療記録の医療従事者のページには少なくとも担当医からの説明事項、次回の診療予約日、持参物として健康保険証、その他公的医療証明書、過去に使用していた入れ歯、老眼鏡、眼鏡、現在服用中のお薬およびお薬の説明書、通院中の他医療機関情報のいずれかを含むことを特徴とする請求項１、請求項２、請求項４のいずれかに記載の入れ歯治療記録用ノート。    
【請求項６】
入れ歯治療記録用ノートを加除自在なリングバインダー式としたことを特徴とする請求項１ないし請求項５のいずれかに記載の入れ歯治療記録用ノート。    
【請求項７】
入れ歯ボードの背になる綴じられる側にリング穴を別途取り付けてあることを特徴とする請求項６に記載の入れ歯治療記録用ノート。    
【請求項８】
リングバインダーは透明な素材で出来ていることを特徴とする請求項６に記載の入れ歯治療記録用ノート。